(57)【要約】【課題】ロボットの関節に連結されている第２部材のピン支持孔にピンの端部を圧入した後、薄肉円筒部を外径方向に変形させることにより、薄肉円筒部がロボットの関節に連結されている第２部材のピン支持孔に密着する。ロボットの関節に締結されている部材にピン端を溶接することなく確実に固定することができる。【解決手段】互いに相対回転可能に連結された第２部材と、及び第２部材を挿通するピンとを有する二部材連結構造において、第２部材にはピンの少なくとも一端に形成された拡径部と係合するピン支持孔が形成されていることを特徴とする二部材連結構造体。【選択図】図１
2011094725.tif 000002
【特許請求の範囲】
【請求項１】
ロボットの関節に連結されている部材を構成している第1部材及び第２部材の端部同士を連結するために、前記第２部材端部を支点として前記第１部材を回動させる二部材連結構造体であって、第２部材に穿設されたピン支持孔に薄肉円筒部を外径方向に拡径させたことを特徴とする二部材連結構造体。
【請求項２】
前記第２部材は、単列２個の転がり軸受の外輪を保持するハウジングに締結され、前記単列２個の転がり軸受の内輪に内嵌されているスリーブを備えていることを特徴とする請求項１に記載の二部材連結構造体。
【発明の詳細な説明】
【技術分野】
【０００１】
本発明は、好適にはロボットアーム、または、ロボットフィンガーの関節に用いる二部材連結構造体に関するものである。
【背景技術】
【０００２】
これには、従来より、部品の搬送ロボットの専用の設備が用いられ、これら設備には搬送部品の形状に合わせて作製した二部材連結構造体が取り付けられて、部品の吸着、グリップなどを容易にしている。従来の二部材連結構造体は、それぞれ、搬送される部品の形状に合わせて一品一様で製作される。二部材連結構造体の長さや二部材連結構造体の角度を部品に合わせて調整した後、調整部を溶接固定している。しかし、溶接等の固着作業が面倒で、組み立て工程が煩雑となるばかりでなく、溶接で発生する熱によって、二部材連結構造体が変形したり、また、溶接作業中に発生するアウトガスによって人体に悪影響を与えるという課題があった。
【０００３】
この部分の改善の先行技術としては、特許文献１：特開２００２−２８８８２号、がある。しかしながら、この先行技術には、連結棒と連結部との連結は溶接以外の手段として、ボルトで固定しているので、搬送中にボルトが緩むという問題が有った。
【先行技術文献】
【特許文献】
【０００４】
【特許文献１】特開２００２−２８８８２号
【発明の概要】
【発明が解決しようとする課題】
【０００５】
本発明が解決しようとする問題点は、ロボットの関節に連結される二部材を溶接等で固着する作業が面倒で、組み立て工程が煩雑となるばかりでなく、溶接で発生する熱によって、二部材連結構造体が変形したり、また、溶接作業中に発生するアウトガスによって人体に悪影響を与えるという問題点を解決すると言う点である。
【課題を解決するための手段】
【０００６】
本発明は、上記課題を解決するために、請求項１に記載されている発明はロボットの関節に連結されている部材を構成する第1部材、及び、第２部材の端部同士を連結するために、前記第２部材端部を支点として前記第１部材を回動させる二部材連結構造体であって、第２部材に穿設されたピン支持孔に薄肉円筒部を外径方向に拡径して密着された二部材連結構造体であることを特徴とする。
【０００７】
請求項２に記載されている発明は、前記第１部材が、単列２個の転がり軸受の外輪を保持するハウジングに締結され、前記単列２個の転がり軸受の内輪に内嵌されているスリーブを備えている二部材連結構造体であることを特徴とする。
【発明の効果】
【０００８】
本発明によれば、第２部材のピン支持孔にピンの端部を圧入した後、薄肉円筒部を外径方向に変形させることにより、ピンの薄肉円筒部がロボットの関節に締結されている第２部材のピン支持孔に密着する。ロボットの関節に連結されている部材にピン端を溶接することなく確実に固定することができるという効果がある。
【図面の簡単な説明】
【０００９】
【図１】本発明の一実施形態に係るロボットの二部材連結構造体を示す図である。
【図２】本発明に係るロボットの二部材連結構造体に使用される転がり軸受ユニットの組立方法を示す図である。
【図３】図２に示す組立方法の変形例を示す図である。
【発明を実施するための形態】
【００１０】
（実施例１）以下、本発明の実施の形態を図面に基づいて説明する。図１より、ロボットの二部材連結構造体（１）は、ロボットの関節に連結されている部材（４）を構成する第1部材（４ａ）及び第２部材（４ｂ）の端部同士を連結するため、前記第２部材（４ｂ）端部を支点として前記第１部材（４ａ）を回動させる二部材連結構造体（１）であって、第２部材（４ｂ）に穿設されたピン支持孔（４ｃ）に薄肉円筒部（５）を外径方向に拡径して密着させたことを特徴とする。
【００１１】
また、前記第１部材は、単列２個の転がり軸受（２）の外輪を保持するハウジング（１１）に締結され、前記単列２個の転がり軸受（２）の内輪に内嵌されているスリーブ（６）を備えていることを特徴とする。
【００１２】
次に、このような、二部材連結構造体（１）を組み立てる場合の手順について図２を参照して説明する。ロボットの二部材連結構造体（１）を組み立てる場合は、図２（ａ）に示すような薄肉円筒部（５）をピン（３）の両端部に形成する。次に、図２（ｂ）に示すように、スリーブ（６）、及び、ハウジング（１１）、さらに、押さえ部材（１２）と、第２部材（４ｂ）との間にシム（７）を挿入し、この状態でピン（３）の両端部を圧入治具（８）で、第２部材（４ｂ）に穿設されたピン支持孔（４ｃ）に圧入する。そして、ピン（３）の両端部を、第２部材（４ｂ）穿設されたピン支持孔（４ｃ）に圧入したならば、図２（ｃ）に示すように、ピン（３）の両端部に形成された薄肉円筒部（５）に拡径治具（９）を押し当て、この拡径治具（９）により薄肉円筒部（５）をその外径方向に変形させる。
【００１３】
このように、第２部材（４ｂ）に穿設されたピン支持孔（４ｃ）にピン（３）の両端部を圧入した後、薄肉円筒部（５）を外径方向に変形させることにより、図２（ｄ）に示すように、薄肉円筒部（５）が、第２部材（４ｂ）に穿設されたピン支持孔（４ｃ）に密着する。したがって、上述した本発明の一実施形態では、第２部材（４ｂ）に穿設されたピン支持孔（４ｃ）に圧入されたピン（３）の端部を、第２部材（４ｂ）に固定する際に、ピン（３）の端部を溶接、または、ボルト固定することなく、第２部材（４ｂ）にピン（３）の端部を固定することができる。
【００１４】
なお、上述した実施の形態では単列２個の転がり軸受を二部材連結構造体（１）の本発明を適用した場合を例示したが、本発明は深溝玉軸受、アンギュラ玉軸受、円錐ころ軸受、円筒ころ軸受、ニードル軸受の単列２個の組み合わせ、または、これらのいずれかの単列２個を組み合わせても、本発明を適用できることは勿論である。さらに、上述した実施の形態では薄肉円筒部（５）をピン（３）の両端部に形成したが、ピン（３）の一端部のみに薄肉円筒部（５）を形成してもよい。
【００１５】
また、図３に示すように、薄肉円筒部(５)を円周方向に分割する複数の割り（スリット）（１０）をピン（３）に設けてピン（３）の端部を第２部材（４ｂ）に固定するようにしてもよい。このように、薄肉円筒部（５）を円周方向に分割する複数の割り（１０）をピン（３）に設けることにより、薄肉円筒部（５）が外径方向に変形し易くなるので、ピン（３）の端部を、第２部材（４ｂ）に穿設されたピン支持孔（４ｃ）に圧入する圧入工程と薄肉円筒部（５）を外径方向に変形させる拡径工程とを図２（ｃ）に示すような治具（９）を用いて行なうことができる。
【産業上の利用可能性】
【００１６】
本発明は、例えばロボットアーム、または、ロボットフィンガーの関節に用いる二部材連結構造体に適用できる。
【符号の説明】
【００１７】
１    二部材連結構造体
２    転がり軸受
３    ピン
４    ロボットの関節に連結されている部材
４ａ  第１部材
４ｂ  第２部材
４ｃ  ピン支持孔
５    薄肉円筒部
６    スリーブ
７    シム
８    圧入治具
９    拡径治具
１０  複数の割り
１１  ハウジング
１２  押さえ部材
【図１】
2011094725.tif 000003
【図２】
2011094725.tif 000004
【図３】
2011094725.tif 000005